(57)【特許請求の範囲】
【請求項１】
対象ユーザの遺伝子検査結果を参照することによって算出された発症リスクの度合いであって、該対象ユーザに関する各疾患の発症リスクの度合いを示す軸を第１軸とし、該各疾患に関する統計学的な値を示す軸を第２軸として張られるフィールドに複数のオブジェクトが配置された画面に関し、該画面のデータを生成するデータ生成手段を備え、
該画面は、上記各疾患について、該対象ユーザに関する該疾患の発症リスクの度合いと該疾患に関する統計学的な値とを示す位置に該疾患に対応するオブジェクトが配置された画面であり、
該データ生成手段は、
該対象ユーザに対応するレコードを情報テーブルから読み出すことにより該対象ユーザに関する該各疾患の発症リスクの度合いを特定し、
該各疾患に関する統計学的な値を取得し、
上記各疾患について、該対象ユーザに関する該疾患の発症リスクの度合いと該疾患に関する統計学的な値とを示す位置に該疾患に対応するオブジェクトを配置する
ことによって該画面のデータを生成する、ことを特徴とするデータ生成装置。
【請求項２】
上記フィールドは、上記フィールドの右上に向かって、上記発症リスクの度合い及び上記統計学的な値が大きくなるよう構成されたフィールドである、ことを特徴とする請求項１に記載のデータ生成装置。
【請求項３】
上記画面は、上記フィールド内の規定の範囲に配置されたオブジェクトと該規定の範囲に配置されていないオブジェクトとを見分けることができるように構成された画面であり、
該規定の範囲は、第１軸の値が規定の閾値以上である範囲と、第２軸の値が規定の閾値以上である範囲との和集合によって規定される範囲である、ことを特徴とする請求項１に記載のデータ生成装置。
【請求項４】
上記画面は、上記フィールドに加えて、複数の要素を含む特定のリストを含む画面であり、
上記複数の要素の各々は、疾患の名称を示す値と上記対象ユーザの該疾患の発症リスクの度合いを示す値とを含む要素であり、
上記特定のリストは、上記発症リスクの度合いの大きさの降順にソートされたリストである、ことを特徴とする請求項１から３の何れか１項に記載のデータ生成装置。
【請求項５】
データ生成装置が実行するデータ生成方法であって、
対象ユーザの遺伝子検査結果を参照することによって算出された発症リスクの度合いであって、該対象ユーザに関する各疾患の発症リスクの度合いを示す軸を第１軸とし、該各疾患に関する統計学的な値を示す軸を第２軸として張られるフィールドに複数のオブジェクトが配置された画面に関し、該画面のデータを生成するデータ生成ステップを含み、
該画面は、上記各疾患について、該対象ユーザに関する該疾患の発症リスクの度合いと該疾患に関する統計学的な値とを示す位置に該疾患に対応するオブジェクトが配置された画面であり、
該データ生成ステップでは、
該対象ユーザに対応するレコードを情報テーブルから読み出すことにより該対象ユーザに関する該各疾患の発症リスクの度合いを特定し、
該各疾患に関する統計学的な値を取得し、
上記各疾患について、該対象ユーザに関する該疾患の発症リスクの度合いと該疾患に関する統計学的な値とを示す位置に該疾患に対応するオブジェクトを配置する
ことによって該画面のデータを生成する、ことを特徴とするデータ生成方法。
【請求項６】
請求項１に記載のデータ生成装置としてコンピュータを機能させるためのプログラムであって、コンピュータを上記データ生成手段として機能させるためのプログラム。
【請求項７】
請求項６に記載のプログラムを記録したコンピュータ読み取り可能な記録媒体。
【発明の詳細な説明】
【技術分野】
【０００１】
本発明は、遺伝子の検査結果に応じたデータを生成するデータ生成装置に関する。また、本発明は、遺伝子の検査結果に応じた画面を表示する情報機器に関する。
【背景技術】
【０００２】
近年、ユーザの遺伝子の検査結果に基づいて、複数の疾患について該ユーザが疾患を患うリスクの度合いをユーザに提示する遺伝子検査サービスが提案されており（例えば、特許文献１の図１２等を参照）、実際にそのような遺伝子検査サービスが開始されている。
【先行技術文献】
【特許文献】
【０００３】
【特許文献１】特許第５１２１４４９号明細書（２０１２年１１月２日公開）
【発明の概要】
【発明が解決しようとする課題】
【０００４】
しかしながら、従来の遺伝子検査サービスには、多種多様な疾患についての発病リスクの度合いをユーザに短時間で把握させることが難しいという問題があった。
【０００５】
本発明は、上記課題に鑑みて成されたものであり、その主な目的は、多種多様な疾患についての発病リスクの度合いをユーザに直観的に把握させることが可能なデータ生成装置および情報機器を実現することにある。
【課題を解決するための手段】
【０００６】
上記の課題を解決するために、本発明の一態様に係るデータ生成装置は、対象ユーザの遺伝子検査結果を参照することによって算出された発症リスクの度合いであって、該対象ユーザに関する各疾患の発症リスクの度合いを示す軸を第１軸とし、該各疾患に関する統計学的な値を示す軸を第２軸として張られるフィールドに複数のオブジェクトが配置された画面に関し、該画面のデータを生成するデータ生成手段を備え、該画面は、上記各疾患について、該対象ユーザに関する該疾患の発症リスクの度合いと該疾患に関する統計学的な値とを示す位置に該疾患に対応するオブジェクトが配置された画面である。
【０００７】
上記の課題を解決するために、本発明の一態様に係るデータ生成方法は、対象ユーザの遺伝子検査結果を参照することによって算出された発症リスクの度合いであって、該対象ユーザに関する各疾患の発症リスクの度合いを示す軸を第１軸とし、該各疾患に関する統計学的な値を示す軸を第２軸として張られるフィールドに複数のオブジェクトが配置された画面に関し、該画面のデータを生成するデータ生成ステップを含み、該画面は、上記各疾患について、該対象ユーザに関する該疾患の発症リスクの度合いと該疾患に関する統計学的な値とを示す位置に該疾患に対応するオブジェクトが配置された画面である。
【０００８】
上記の構成によれば、上記データ生成装置及び上記データ生成方法は、多種多様な疾患についての自身の発病リスクの度合いを、上記データを参照して上記画面を表示する端末のユーザに直観的に把握させることが可能である、という効果を奏する。
【０００９】
なお、本発明の一態様に係るデータ生成装置において、上記フィールドは、上記フィールドの右上に向かって、上記発症リスクの度合い及び上記統計学的な値が大きくなるよう構成されたフィールドであってもよい。
【００１０】
本発明の一態様に係るデータ生成装置において、上記画面は、上記フィールド内の規定の範囲に配置されたオブジェクトと該規定の範囲に配置されていないオブジェクトとを見分けることができるように構成された画面であり、該規定の範囲は、第１軸の値が規定の閾値以上であり、且つ、第２軸の値が規定の閾値以上であるような範囲であることが好ましい。
【００１１】
上記の構成によれば、上記データ生成装置は、どのような疾患に特に注意すべきかを上記ユーザが即座に把握することを可能にする、という更なる効果を奏する。
【００１２】
本発明の一態様に係るデータ生成装置において、上記画面は、上記フィールドに加えて、複数の要素を含む特定のリストを含む画面であり、上記複数の要素の各々は、疾患の名称を示す値と上記対象ユーザの該疾患の発症リスクの度合いを示す値とを含む要素であり、上記特定のリストは、上記発症リスクの度合いの大きさの降順にソートされたリストであることが望ましい。
【００１３】
上記の構成によれば、上記データ生成装置は、どのような疾患に特に注意すべきかを上記ユーザが即座に把握することを可能にする、という更なる効果を奏する。
【００１４】
本発明の各態様に係るデータ生成サーバは、コンピュータによって実現してもよく、この場合には、コンピュータを上記データ生成サーバが備える各手段として動作させることにより上記データ生成サーバをコンピュータにて実現させるプログラム、およびそれを記録したコンピュータ読み取り可能な記録媒体も、本発明の範疇に入る。
【発明の効果】
【００１５】
本発明は、多種多様な疾患についての発病リスクの度合いをユーザに直観的に把握させることができるという効果を奏する。
【図面の簡単な説明】
【００１６】
【図１】本発明の実施形態１に係る健康管理システムの主要な装置の構成を示すブロック図である。
【図２】本発明の実施形態１〜３に係る健康管理システムのシステム構成図である。
【図３】実施形態１に係る健康管理システムに含まれる健康情報管理サーバが保持している発症リスク情報テーブル（各サービス利用者の発症リスクの度合いを疾患別に示したテーブル）を例示した図である。
【図４】上記健康情報管理サーバが保持している、疾患に関する統計情報を例示した図である。
【図５】実施形態１に係る健康管理システムに含まれるユーザ端末に表示される画面の一例を示した図である。
【図６】実施形態１に係る健康管理システムの動作を示すシーケンス図である。
【図７】上記ユーザ端末に表示される画面の別の一例を示した図である。
【図８】上記ユーザ端末に表示される画面の更に別の一例を示した図である。
【図９】上記ユーザ端末に表示される画面の更に別の一例を示した図である。
【図１０】実施形態２に係る健康管理システムの主要な装置の構成を示すブロック図である。
【図１１】実施形態２および実施形態３に係る健康管理システムに含まれるユーザ端末がどのようなデータを保持しているかを示す図である。
【図１２】実施形態２に係る健康管理システムの動作を示すシーケンス図である。
【図１３】実施形態３に係る健康管理システムの主要な装置の構成を示すブロック図である。
【図１４】実施形態３に係る健康管理システムの動作を示すシーケンス図である。
【発明を実施するための形態】
【００１７】
〔実施形態１〕
以下、図１〜図９を参照して、本発明の一実施形態に係る健康管理システム（以下、本実施形態においては単に「健康管理システム」と呼称する）について説明する。
【００１８】
（健康管理システムの概要）
健康管理システムの概要について、図１〜図３を参照しながら説明する。図１は、健康管理システムの主要な装置の構成を示すブロック図である。図２は、健康管理システムのシステム構成図である。図３は、健康管理システムに含まれる健康情報管理サーバが保持している発症リスク情報テーブルを例示した図である。
【００１９】
健康管理システムは、ユーザが遺伝子検査サービスを受けることができるように構成されたシステムであり、ユーザが自身の端末を用いて様々な疾患についての情報（自身の発症リスクの度合いや予防方法等の情報）を把握することができるように構成されている。
【００２０】
ユーザの各疾患の発症リスクの度合いは以下のように算出される。即ち、図２に示すように、ユーザが自身の検体（例えば、唾液、血液などの体液、口腔粘膜などの組織など）を所定の検査機関（例えば、病院や遺伝子の解析が可能な研究施設等）に送ると、検査機関は、検体と検査装置４０とを用いて遺伝子検査を行う。そして、検査機関は、遺伝子検査の結果から該ユーザの各疾患の発症リスクの度合いを算出し、算出結果を示す新規レコードを健康情報管理サーバ２０の発症リスク情報テーブル（図３に例示されている発症リスク情報テーブル）に登録する。ここで、ユーザの各疾患の発症リスクの度合いは、例えば、統計や論文データ等に基づく、疾患の平均的な発症率を１とした場合の、ユーザの該疾患の発症率の平均的な発症率に対する相対値で示されてもよいし、ユーザが疾患を発症する可能性を１０段階で評価した値で示されてもよいし、特に限定されない。
【００２１】
遺伝子検査サービスのサイトの運営に用いられる健康情報提供サーバ１０（データ生成装置）は、ユーザ端末３０からの要求に従って、この発症リスク情報テーブルを参照して対象ユーザの各疾患の発症リスクの度合いを示す画面（以下、「疾患発症リスク画面」とも称する）のデータを生成し、生成したデータをユーザ端末３０に送信するようになっている。
【００２２】
本実施形態においては、この疾患発症リスク画面が、多種多様な疾患についての発病リスクの度合いをユーザに直観的に把握させることができるように構成されている点に特徴があるので、この特徴については、後に詳細に説明することにする。
【００２３】
なお、以降の説明においては、実世界に存在する疾患のうち、互いに異なる疾患を「疾患Ａ」、「疾患Ｂ」、「疾患Ｃ」、…のように記載するものとする。疾患Ａ、疾患Ｂ、疾患Ｃなどの各具体例としては、例えば、肝臓がん、前立腺がん、乳がん、食道がん、関節リウマチ、骨粗しょう症、心筋梗塞、心不全、糖尿病、２型糖尿病、慢性肝臓病、子宮体がん（子宮内膜がん）、アルツハイマー病、クローン病、喘息、歯周病、膀胱がん、高血圧、ＣＯＰＤ（慢性閉塞性肺疾患）、胃がん、膵炎、膵臓がん、静脈血栓塞栓症、脳梗塞、肺がん、メタボリックシンドローム、循環器疾患、呼吸器疾患、及び、虚血性心疾患、などが挙げられるが、これらの具体例は、本実施形態を限定するものではない。
【００２４】
（健康管理システムの構成）
健康管理システムの構成について更に図４および図５を参照しながら説明する。
【００２５】
図４は、健康情報管理サーバ２０が保持している、疾患に関する３種類の統計情報を例示した図である。図４に示すように、該３種類の統計情報は、特定の疾患が原因となって死亡した者の数を疾患別に示した（ａ）欄の統計情報、特定の疾患が原因となって死亡した者の全死亡者数に占める割合を疾患別に示した（ｂ）欄の統計情報、及び、特定の疾患の患者数を疾患別に示した（ｃ）欄の統計情報から構成されている。
【００２６】
図５は、健康管理システムに含まれるユーザ端末３０に表示される画面の一例である疾患発症リスク画面を例示した図である。
【００２７】
図２に示すように、健康管理システムは、健康情報提供サーバ１０、健康情報管理サーバ２０、各ユーザのユーザ端末３０、及び、検査装置４０を含んでいる。
【００２８】
（健康情報管理サーバ２０）
健康情報管理サーバ２０は、遺伝子検査サービスの各ユーザの情報、及び、健康に関する様々な情報（例えば、図３の発症リスク情報テーブル、図４の（ａ）〜（ｃ）のような統計情報等）をデータベースの形で管理するためのサーバである。
【００２９】
（健康情報提供サーバ１０）
健康情報提供サーバ１０は、遺伝子検査サービスのサイトの運営に用いられるＷＥＢサーバである。健康情報提供サーバ１０は、ユーザ端末３０からの要求に基づいて、対象ユーザに固有の様々な画面（例えば、疾患の予防方法を示す画面や、上述の疾患発症リスク画面等）のＨＴＭＬデータを生成し、生成したＨＴＭＬデータをユーザ端末３０に送信する。
【００３０】
図１に示すように、健康情報提供サーバ１０は、記憶部１１０、制御部１２０、及び、通信部１３０を備えている。
【００３１】
記憶部１１０は、上記様々な画面を構成する各種データ（例えば、画像データや、サーバサイドスクリプトが埋め込まれたデータ等）が格納されている記録媒体である。
【００３２】
制御部１２０は、健康情報提供サーバ１０全体を統括的に制御するＣＰＵである。
【００３３】
制御部１２０は、任意の画面のＵＲＬへのユーザ端末３０からのアクセスをトリガとして該ＵＲＬのデータに埋め込まれたサーバサイドスクリプトを読み込むことにより、ユーザ判定部１２１及び画面データ生成部１２２として機能する。
【００３４】
ユーザ判定部１２１は、上記アクセスの際にユーザ端末３０から送信されるＨＴＴＰリクエストの中からユーザＩＤを抽出し、ユーザＩＤを画面データ生成部１２２に供給する。
【００３５】
画面データ生成部１２２は、上記アクセスを行ったユーザ端末３０に送信すべきＨＴＭＬデータを生成する。例えば、上記アクセスが疾患発症リスク画面のＵＲＬへのアクセスである場合、画面データ生成部１２２は、以下のようにＨＴＭＬデータを生成する。
【００３６】
即ち、画面データ生成部１２２は、図３の発症リスク情報テーブルを参照して対象ユーザの各疾患の発症リスクの度合いを特定するとともに、図４の（ｃ）に示された統計情報（「各疾患の患者数」という「各疾患に関する統計学的な値」が示された統計情報）を参照して各疾患の患者数を特定する。
【００３７】
これにより、画面データ生成部１２２は、対象ユーザの各疾患の発症リスクの度合いを示す軸を横軸とし、各疾患の患者数を示す軸を縦軸として張られるフィールドに疾患名を示すオブジェクトが疾患別に配置された画面のＨＴＭＬデータを生成する。より具体的には、対象の疾患を対象ユーザが発症するリスクの度合いと対象の疾患の患者数とを示す位置に各オブジェクトが配置されるような画面（例えば、図５のような散布図の画面）のＨＴＭＬデータを生成する。
【００３８】
通信部１３０は、健康情報提供サーバ１０が他の機器とＩＰ通信（ネットワーク通信）することを可能にするために設けられた通信インタフェースである。
【００３９】
（ユーザ端末３０）
ユーザ端末３０は、ユーザが自身に関する各疾患の発症リスクの度合いを把握するために用いる端末である。
【００４０】
図１に示すように、ユーザ端末３０は、記憶部３１０、制御部３２０、通信部３３０、表示部３４０、及び、操作受付部３５０を備えている。
【００４１】
記憶部３１０は、各種プログラム（例えば、ウェブブラウザプログラム）がインストールされている記録媒体である。
【００４２】
制御部３２０は、ユーザ端末３０全体を統括的に制御するＣＰＵである。
【００４３】
制御部３２０は、ウェブブラウザプログラムを実行することにより、データ取得処理部３２１及び画面表示処理部３２２として機能する。
【００４４】
データ取得処理部３２１は、ウェブブラウザプログラムにＵＲＬへアクセスさせるための操作（例えば、ウェブブラウザにＵＲＬを入力する操作やＵＲＬへのリンクをクリックする操作等）を受け付けると、該ＵＲＬの画面のデータ（ＨＴＭＬデータや画像データ等）を取得する。
【００４５】
画面表示処理部３２２は、データ取得処理部３２１が取得したデータを参照し、該ＵＲＬの画面を表示部３４０に表示する。
【００４６】
通信部３３０は、ユーザ端末３０が他の機器とＩＰ通信（ネットワーク通信）することを可能にするために設けられた通信インタフェースである。
【００４７】
表示部３４０は、様々な画面（例えば、疾患発症リスク画面）が表示されるディスプレイである。
【００４８】
操作受付部３５０は、ポインティングデバイス５０を用いた各種操作（例えば、ウェブブラウザを起動させる操作や遺伝子検査サービスのサイトのＵＲＬにアクセスさせる操作）を受け付ける。なお、本実施形態におけるポインティングデバイス５０はマウスであるが、ポインティングデバイス５０は、トラックパッド等の他の種類のポインティングデバイスであってもよい。また、本実施形態では、ユーザ端末３０がポインティングデバイスによる操作を受け付けるようになっているが、ユーザ端末３０は、そのような構成に限定されない。例えば、ユーザ端末３０として携帯情報端末、スマートフォンやタブレット端末等の端末を採用する場合には、ユーザ端末３０は、ポインティングデバイスによる操作ではなく、ユーザ端末３０に設けられているタッチパネルへのタッチ操作を受け付けるようになっていてもよい。
【００４９】
（検査装置４０）
上述したように、検査装置４０は、対象ユーザの検体を用いて遺伝子検査を行い、遺伝子検査の結果から、対象ユーザに関する各疾患の発症リスクの度合いを算出する。
【００５０】
以上、健康管理システムの構成について説明した。
【００５１】
（遺伝子検査サービスのサイト内のマイページについて）
遺伝子検査サービスのサイト内のマイページにおける各画面には、タブ５０１〜５０４、対象ユーザのユーザ名５０５（図５の例では、「日本太郎」）が含まれている。
【００５２】
タブ５０１〜５０４について簡単に説明すれば、以下の通りである。なお、ユーザ端末３０においてタブ５０１〜５０４の何れかのタブが選択された場合、健康情報提供サーバ１０は、選択されたタブに対応する画面のデータを生成する。
・タブ５０１（「疾患発症リスク」タブ）：疾患発症リスク画面を表示するためのタブ
・タブ５０２（「体質」タブ）：ユーザの体質（例えば、髪質、血中カルシウム濃度など）に関する情報を含む画面を表示するためのタブ
・タブ５０３（「アドバイス」タブ）：各疾患の予防（疾患の発症のリスク軽減）に関するアドバイスを含む画面を表示するためのタブ
・タブ５０４（「アンケート」タブ）：アンケート（例えば、生活習慣に関するアンケートなど）に回答するためのアンケート画面、又は、アンケートに対して以前に回答した回答内容を含む画面などを表示するためのタブ
（健康管理システムの動作）
次に、疾患発症リスク画面のＵＲＬにアクセスさせる操作をユーザ端末３０が受け付けた場合における健康管理システムの動作について、更に図６を参照して説明する。図６は、該動作を示すシーケンス図である。
【００５３】
（ステップＳ１０１）
まず、ユーザ端末３０のデータ取得処理部３２１は、通信部３３０を介して、ユーザＩＤを健康情報提供サーバ１０に通知する。具体的には、データ取得処理部３２１は、疾患発症リスク画面のＵＲＬのＨＴＴＰリクエストであって、該ユーザＩＤを含むＨＴＴＰリクエストを健康情報提供サーバ１０に通知する。
【００５４】
なお、例えば、ユーザ端末３０が遺伝子検査サービスのサイトにログインした際にユーザＩＤを含むクッキーが記憶部３１０に保存されるようになっている場合、データ取得処理部３２１は、該ＨＴＴＰリクエストとして、このクッキーを含むＨＴＴＰリクエストを通知してもよい。
【００５５】
（ステップＳ１０２、Ｓ１０３）
ＨＴＴＰリクエストを受信した健康情報提供サーバ１０では、ユーザ判定部１２１が、ＨＴＴＰリクエストのデータの中からユーザＩＤを抽出し、ユーザＩＤを画面データ生成部１２２に供給する。ユーザＩＤの供給を受けた画面データ生成部１２２は、発症リスク情報テーブルを参照するためのコマンド（例えば、ＳＱＬコマンド）を健康情報管理サーバ２０に送信する（ステップＳ１０２）。
【００５６】
このコマンドを受信した健康情報管理サーバ２０は、発症リスク情報テーブルのテーブル情報を健康情報提供サーバ１０に送信する（ステップＳ１０３）。
【００５７】
（ステップＳ１０４）
テーブル情報を受信した健康情報提供サーバ１０では、画面データ生成部１２２が、ユーザ判定部１２１から供給されたユーザＩＤに対応するレコードを発症リスク情報テーブルから読み出すことにより、該ユーザＩＤに対応する対象ユーザの疾患別の発症リスクを特定する。
【００５８】
例えば、ステップＳ１０１で通知されたユーザＩＤが“100001”である場合、画面データ生成部１２２は、図３の発症リスク情報テーブルから先頭のレコードを読み出す。これにより、画面データ生成部１２２は、「対象ユーザが疾患Ａにかかる可能性は日本人の平均の１．６倍であり、対象ユーザが疾患Ｂにかかる可能性は日本人の平均の０．９倍であり、対象ユーザが疾患Ｃにかかる可能性は日本人の平均の２倍であること等」を特定する。
【００５９】
（ステップＳ１０５、Ｓ１０６）
ステップＳ１０４の後、画面データ生成部１２２が、図４の（ｃ）の統計情報を参照するためのコマンド（例えば、ＳＱＬコマンド）を健康情報管理サーバ２０に送信する（ステップＳ１０５）。
【００６０】
このコマンドを受信した健康情報管理サーバ２０は、図４の（ｃ）の統計情報を健康情報提供サーバ１０に送信する（ステップＳ１０６）。
【００６１】
（ステップＳ１０７）
図４の（ｃ）の統計情報を受信した健康情報提供サーバ１０では、画面データ生成部１２２が、該統計情報を参照することにより、疾患毎の患者数を特定する。
【００６２】
（ステップＳ１０８：データ生成ステップ）
ステップＳ１０７の後、画面データ生成部１２２は、疾患発症リスク画面（具体的には、図５に示すような、「黒丸５１１と疾患名５１２とを含む各オブジェクト」が対象の疾患の患者数と対象ユーザが対象の疾患を発症するリスクの度合いと示す位置に配置された画面）のデータを生成する。
【００６３】
ここで、上記疾患発症リスク画面のフィールドは、当該フィールドの右上に向かって、発症リスクの度合い、及び、統計学的な値である疾患の患者数が大きくなるよう構成されているフィールドである。
【００６４】
なお、画面データ生成部１２２は、図５に示すように、フィールド内の規定の範囲に配置されているオブジェクトと、フィールド内の該規定の範囲に配置されていないオブジェクトとを見分けることができるように構成された疾患発症リスク画面のデータを生成することが望ましい。
【００６５】
疾患発症リスク画面は、例えば、図５に示すように、フィールド内の規定の範囲（図５に示すような「患者数が８０００人以上である範囲と、対象ユーザの発症のし易さが日本人平均の２倍以上である範囲との和集合によって規定される範囲」）と該フィールド内のそれ以外の範囲とで背景部分の表示態様（例えば、背景色）が異なっていてもよい。なお、言うまでもなく、「８０００人」という閾値、及び、「日本人平均の２倍」という閾値は、例示に過ぎない。
【００６６】
また、画面データ生成部１２２は、上記規定の範囲を設定しない構成としてもよい。
【００６７】
（ステップＳ１０９）
ステップＳ１０８の後、画面データ生成部１２２は、ステップＳ１０８にて生成したデータを対象ユーザのユーザ端末３０に送信する。具体的には、画面データ生成部１２２は、ステップＳ１０８にて生成したＨＴＭＬデータを含むＨＴＴＰレスポンスを対象ユーザのユーザ端末３０に送信する。
【００６８】
（ステップＳ１１０）
ユーザ端末３０のデータ取得処理部３２１はＨＴＴＰレスポンスを受信し、ＨＴＴＰレスポンスに含まれているＨＴＴＰデータを画面表示処理部３２２に供給する。画面表示処理部３２２は、データ取得処理部３２１から供給されたＨＴＴＰデータを参照し、図５に示すような疾患発症リスク画面を表示部３４０に表示する。
【００６９】
以上、疾患発症リスク画面のＵＲＬにアクセスさせる操作をユーザ端末３０が受け付けた場合における健康管理システムの動作について説明した。
【００７０】
（疾患発症リスク画面内の各オブジェクトについて）
以下では、疾患発症リスク画面内の各オブジェクトについて、更に図７及び図８を参照しながら説明する。図７は、ユーザ端末３０の表示部３４０に表示される疾患発症リスク画面の別の一例を示した図である。また、図８は、ユーザ端末３０の表示部３４０に表示される別の画面の一例を示した図である。
【００７１】
マウスカーソルがオブジェクト（具体的には、該オブジェクト内の黒丸５１１）を指し示すようにユーザがポインティングデバイス５０を移動させると、画面表示処理部３２２は、図７に示すように、吹き出しが描かれるように疾患発症リスク画面を更新する。この吹き出しは、図７に示すような、マウスカーソルが指し示しているオブジェクトの位置が示す横軸の値（対象ユーザが対象の疾患を発症する可能性を、平均的な日本人が該疾患にかかる可能性との比較値として示した値）と該オブジェクトの位置が示す縦軸の値（該疾患の患者数を示す値）とを含むような吹き出しである。
【００７２】
また、マウスカーソルがオブジェクト（具体的には、該オブジェクト内の疾患名５１２）を指し示す位置にある時にユーザがクリック（即ち、ポインティングデバイス５０のボタンを指で押圧するという特定の操作）を行うと、データ取得処理部３２１は、図８に示すような画面のＵＲＬのＨＴＴＰリクエストであって、対象ユーザのユーザＩＤを含むＨＴＴＰリクエストを健康情報提供サーバ１０に通知する。その後、データ取得処理部３２１は、対応するＨＴＴＰレスポンスを取得し、ＨＴＴＰレスポンスに含まれているＨＴＭＬデータを画面表示処理部３２２に供給する。なお、上記特定の操作は、クリック以外の操作であってもよい。
【００７３】
その結果、画面表示処理部３２２は、表示部３４０に表示する画面を疾患発症リスク画面から図８に示すような画面に切り替える。即ち、画面表示処理部３２２は、疾患発症リスク画面を消去して、対象の疾患（マウスカーソルが指し示していたオブジェクトに対応する疾患）の詳細を示す疾患詳細情報を表示する。
【００７４】
以上の説明からわかるように、本実施形態における各オブジェクトはＵＩオブジェクトであるが、各オブジェクトは、ＵＩオブジェクトでなくてもよい。即ち、各オブジェクトは、該オブジェクトがどの疾患に対応するオブジェクトであるのかをユーザ端末３０のユーザが把握できるように構成されていれば、どのようなオブジェクトであってもよい。
【００７５】
（実施形態１の付記事項１）
健康情報提供サーバ１０は、ステップＳ１０８において、図５のような疾患発症リスク画面のデータではなく、図９のような疾患発症リスク画面のデータを生成してもよい。
【００７６】
即ち、疾患発症リスク画面には、上述の複数のオブジェクトが配置されたフィールドに加え、対象ユーザが発症しやすい疾患のリストが含まれていてもよい。
【００７７】
なお、図９からわかるように、上記リストを構成する複数の要素の各々は、対象ユーザが発症しやすい疾患の名称を示す値（項目名）と対象ユーザの該疾患の発症リスクの度合いを示す値（平均と比較した発症のしやすさを示す値）とを含む要素である。また、図９からわかるように、上記リストは、上記発症リスクの度合いの大きさの降順にソートされたリストである。
【００７８】
（実施形態１の付記事項２）
実施形態１において、疾患発症リスク画面のデータを生成するために健康情報提供サーバ１０が健康情報管理サーバ２０から取得する統計情報は、各疾患の患者数を示す統計情報（図４の（ｃ）の統計情報）であった。
【００７９】
しかしながら、本実施形態はこのような構成に限定されない。疾患発症リスク画面のデータを生成するために健康情報提供サーバ１０が健康情報管理サーバ２０から取得する統計情報は、図４の（ａ）の統計情報であってもよいし、図４の（ｂ）の統計情報であってもよいし、その他の統計情報（例えば、各疾患の治療費の概算を示す情報）であってもよい。
【００８０】
なお、疾患発症リスク画面のデータを生成するために、健康情報提供サーバ１０は、健康情報管理サーバ２０から、健康情報管理サーバ２０が保持している全ての種類の統計情報（例えば、図４の３つの統計情報）を取得してもよい。この場合、該疾患発症リスク画面は、縦軸に示す統計情報を、全ての種類の統計情報の中から対象ユーザが選択した統計情報に切り替えることができるように構成されていてもよい。例えば、該疾患発症リスク画面は、対象ユーザにそのような選択操作を行わせるためのＵＩ部品（例えば、ボタン）を図５の疾患発症リスク画面に設けたような画面であってもよい。
【００８１】
（健康情報提供サーバ１０の利点）
以上の説明から以下のことが言える。
【００８２】
即ち、健康情報提供サーバ１０は画面データ生成部１２２（データ生成手段）を備えている。
【００８３】
画面データ生成部１２２は、対象ユーザの遺伝子検査結果を参照することによって算出された発症リスクの度合いであって、該対象ユーザに関する各疾患の発症リスクの度合いを示す軸を横軸（第１軸）とし、該各疾患の患者数（該各疾患に関する統計学的な値）を示す軸を縦軸（第２軸）として張られるフィールドに複数のオブジェクトが配置された疾患発症リスク画面に関し、疾患発症リスク画面のデータ（ユーザ端末３０に送信されるＨＴＭＬデータ）を生成する。
【００８４】
疾患発症リスク画面は、上記各疾患について、該対象ユーザに関する該疾患の発症リスクの度合いと該疾患に関する統計学的な値とを示す位置に該疾患に対応するオブジェクトが配置された画面（即ち、図５に示すような画面）である。
【００８５】
従って、健康情報提供サーバ１０は、多種多様な疾患についての自身の発病リスクの度合いをユーザ端末３０のユーザに直観的に把握させることが可能である、という効果を奏する。
【００８６】
さらに、健康情報提供サーバ１０は、各疾患について、該疾患を発症するリスクの度合いに加えて該疾患に関する統計情報（例えば、該疾患を治療するための費用の概算）をサービス利用者に把握させることができる。従って、健康情報提供サーバ１０は、どの疾患の発症リスクに特に注意を払えばよいかを、疾患を発症するリスクの度合いだけを伝える場合よりも的確にサービス利用者に把握させることができる。
〔実施形態２〕
以下、更に図１０〜図１２を参照して、本発明の別の一実施形態に係る健康管理システムについて説明する。図１０は、上記健康管理システムの主要な装置の構成を示すブロック図である。図１１は、本実施形態および後述の実施形態３に係るユーザ端末がどのようなデータを保持しているかを示す図である。図１２は、疾患発症リスク画面を表示させる操作を本実施形態に係るユーザ端末が受け付けた場合における上記健康管理システムの動作を示すシーケンス図である。なお、説明の便宜上、実施形態１にて説明した部材と全く同じ機能又は略同じ機能を有する部材については、同じ符号を付記し、基本的にその説明を省略する。
【００８７】
（本実施形態に係る健康管理システムの概要）
本実施形態に係る健康管理システムも、実施形態１に係る健康管理システムと同様に、ユーザが遺伝子検査サービスを受けることができるように構成されたシステムであり、ユーザが自身の端末を用いて様々な疾患についての情報を把握することができるように構成されている。
【００８８】
一方、本実施形態に係る健康管理システムは、以下の点で、実施形態１に係る健康管理システムと異なっている。
【００８９】
本実施形態に係るユーザ端末３０Ａは、疾患発症リスク画面を生成する上で必要な画像データおよびテキストデータを予め保持している。
【００９０】
また、本実施形態に係る健康情報提供サーバ１０Ａは、疾患発症リスク画面のデータを上記ユーザ端末に送信するのではなく、ユーザ端末３０Ａが疾患発症リスク画面を生成する上で必要なその他の情報（対象ユーザの各疾患の発症リスクの度合いを示す情報、及び、各疾患に関する統計情報）をユーザ端末３０Ａに送信するようになっている。
【００９１】
（本実施形態に係る健康管理システムの構成）
本実施形態に係る健康管理システム（以下、本実施形態においては単に「健康管理システム」と呼称する）の構成について図２及び図１０を参照しながら説明する。
【００９２】
図２に示すように、健康管理システムは、健康情報提供サーバ１０Ａ、健康情報管理サーバ２０、各ユーザのユーザ端末３０Ａ、及び、検査装置４０を含んでいる。
【００９３】
（健康情報提供サーバ１０Ａ）
健康情報提供サーバ１０Ａは、遺伝子検査サービスの運営に用いられるサーバである。健康情報提供サーバ１０Ａは、疾患発症リスク画面を表示させる操作を受け付けたユーザ端末３０Ａからリクエストを受け付けると、対象ユーザの各疾患の発症リスクの度合いを示す情報、及び、各疾患に関する統計情報をユーザ端末３０Ａに送信する。
【００９４】
図１０に示すように、健康情報提供サーバ１０Ａは、記憶部１１０、制御部１２０、及び、通信部１３０を備えている。
【００９５】
記憶部１１０は、各種プログラムが格納されている記録媒体である。
【００９６】
制御部１２０は、健康情報提供サーバ１０Ａ全体を統括的に制御するＣＰＵである。
【００９７】
制御部１２０は、特定のプログラムを読み出すことによりユーザ判定部１２１及び発症リスク情報送信処理部１２３Ａとして機能する。
【００９８】
ユーザ判定部１２１は、ユーザ端末３０Ａから送信される上記リクエストのデータの中からユーザＩＤを抽出し、抽出したユーザＩＤを発症リスク情報送信処理部１２３Ａに供給する。
【００９９】
発症リスク情報送信処理部１２３Ａは、上記リクエストを行ったユーザ端末３０Ａに送信すべきデータを生成する。
【０１００】
具体的には、発症リスク情報送信処理部１２３Ａは、図３の発症リスク情報テーブルおよび図４の（ｃ）に示された統計情報を参照し、上記リクエストを行ったユーザ端末３０Ａに向けて、対象ユーザの各疾患の発症リスクの度合いと各疾患の患者数とを示す情報を送信する。
【０１０１】
（ユーザ端末３０Ａ）
ユーザ端末３０Ａは、ユーザが自身に関する各疾患の発症リスクの度合いを把握するために用いる端末である。
【０１０２】
図１０に示すように、ユーザ端末３０Ａは、記憶部３１０、制御部３２０、通信部３３０、表示部３４０、及び、操作受付部３５０を備えている。
【０１０３】
記憶部３１０は、各種プログラム（例えば、遺伝子検査サービスの運営者により提供されたプログラム）がインストールされている記録媒体である。記憶部３１０には、疾患発症リスク画面を生成する上で必要な画像データおよびテキストデータが格納されている。また、図１１の（ａ）に示すように、記憶部３１０には、ユーザＩＤ、及び、各疾患の詳細を示す疾患詳細情報も格納されている。
【０１０４】
制御部３２０は、ユーザ端末３０Ａ全体を統括的に制御するＣＰＵである。
【０１０５】
制御部３２０は、遺伝子検査サービスの運営者により提供されたプログラムを実行することにより、データ取得処理部３２１Ａ及び画面表示処理部３２２Ａとして機能する。
【０１０６】
データ取得処理部３２１Ａは、疾患発症リスク画面を表示させる操作を操作受付部３５０が受け付けると、対象ユーザの各疾患の発症リスクの度合いと各疾患の患者数とを示す情報の提供を健康情報提供サーバ１０Ａにリクエストする。
【０１０７】
画面表示処理部３２２Ａは、疾患発症リスク画面を表示させる操作を操作受付部３５０が受け付けると、疾患発症リスク画面を生成する上で必要な画像データおよびテキストデータを記憶部３１０から読み出し、記憶部３１０から読み出したデータとデータ取得処理部３２１Ａが取得した情報とを用いて、疾患発症リスク画面を生成する。画面表示処理部３２２Ａは、生成した疾患発症リスク画面を表示部３４０に表示する。
【０１０８】
（健康管理システムの動作）
次に、疾患発症リスク画面を表示させる操作をユーザ端末３０Ａが受け付けた場合における健康管理システムの動作について図１２を参照して説明する。
【０１０９】
（ステップＳ２０１）
ユーザ端末３０Ａのデータ取得処理部３２１Ａは、通信部３３０を介して、対象ユーザの各疾患の発症リスクの度合いと各疾患の患者数とを示す情報の提供を要求するためのリクエストデータを健康情報提供サーバ１０Ａに送信する。このリクエストデータにはユーザＩＤが含まれている。
【０１１０】
（ステップＳ２０２）
リクエストデータを受信した健康情報提供サーバ１０Ａでは、ユーザ判定部１２１が、リクエストデータの中からユーザＩＤを抽出し、ユーザＩＤを画面データ生成部１２２に供給する。ユーザＩＤの供給を受けた画面データ生成部１２２は、発症リスク情報テーブルを参照するためのコマンド（例えば、ＳＱＬコマンド）を健康情報管理サーバ２０に送信する（ステップＳ２０２）。
【０１１１】
（ステップＳ２０３〜Ｓ２０７）
ステップＳ２０２の後、健康管理システムは、ステップＳ２０３からステップＳ２０７までの処理を行う。なお、ステップＳ２０３〜ステップＳ２０７は、それぞれ、実施形態１で説明したステップＳ１０３〜ステップＳ１０７と同じ工程であるため、ステップＳ２０３〜ステップＳ２０７の処理の内容の説明については省略する。
【０１１２】
（ステップＳ２０８）
ステップＳ２０７の後、発症リスク情報送信処理部１２３Ａは、対象ユーザの各疾患の発症リスクの度合いと各疾患の患者数とを示す情報を対象ユーザのユーザ端末３０Ａに送信する。
【０１１３】
（ステップＳ２０９：表示処理ステップ）
ユーザ端末３０Ａのデータ取得処理部３２１Ａが上記情報を受信すると、画面表示処理部３２２Ａは、疾患発症リスク画面を表示部３４０に表示する。画面表示処理部３２２Ａは、具体的には、以下の処理を行う。
【０１１４】
即ち、画面表示処理部３２２Ａは、画像データおよびテキストデータを記憶部３１０から読み出し、該画像データが表す画像を表示するとともに該テキストデータが表す文章を表示し、更に、対象ユーザの各疾患の発症リスクの度合いを示す軸を横軸とし、各疾患の患者数を示す軸を縦軸として張られるフィールドを表示する。これに加えて、画面表示処理部３２２Ａは、ステップＳ２０８にて送信された情報を参照し、各疾患について、該疾患に対応するオブジェクトを、対象ユーザに関する該疾患の発症リスクの度合いと該疾患の患者数とを示す位置に表示する。
【０１１５】
なお、画面表示処理部３２２Ａは、図５に示すように、フィールド内の規定の範囲に配置されているオブジェクトと、フィールド内の該規定の範囲に配置されていないオブジェクトとを見分けることができるように構成された疾患発症リスク画面を生成することが望ましい。例えば、図５に示すように、疾患発症リスク画面は、フィールド内の規定の範囲（例えば、図５に示すような「患者数が８０００人以上であり、尚且つ、対象ユーザの発症のし易さが日本人平均の２倍以上であるような範囲」）と該フィールド内のそれ以外の範囲とで背景部分の表示態様（例えば、背景色）が異なっていてもよい。
【０１１６】
（疾患発症リスク画面内の各オブジェクトについて）
疾患発症リスク画面内の各オブジェクトは、実施形態１で説明した各オブジェクトと同様の役割を担っている。
【０１１７】
即ち、マウスカーソルがオブジェクト（具体的には、該オブジェクト内の黒丸５１１）を指し示すようにユーザがマウスを移動させると、画面表示処理部３２２Ａは、図７に示すように、実施形態１で説明した吹き出しが描かれるように疾患発症リスク画面を更新する。
【０１１８】
また、マウスカーソルがオブジェクト（具体的には、該オブジェクト内の疾患名５１２）を指し示す位置にある時にユーザがクリック（即ち、ポインティングデバイス５０のボタンを指で押圧する操作）を行うと、画面表示処理部３２２Ａは、記憶部３１０から対象となる疾患の詳細を示す疾患詳細情報を読み出し、図８に示すような画面を表示する。
【０１１９】
以上の説明からわかるように、本実施形態における各オブジェクトもＵＩオブジェクトであるが、各オブジェクトは、ＵＩオブジェクトでなくてもよい。即ち、各オブジェクトは、該オブジェクトがどの疾患に対応するオブジェクトであるのかをユーザ端末３０Ａのユーザが把握できるように構成されていれば、どのようなオブジェクトであってもよい。
【０１２０】
（実施形態２の付記事項１）
ユーザ端末３０Ａは、ステップＳ２０９において、図５のような疾患発症リスク画面ではなく、図９のような疾患発症リスク画面を表示してもよい。
【０１２１】
即ち、実施形態１と同様に、疾患発症リスク画面には、上述の複数のオブジェクトが配置されたフィールドに加え、対象ユーザが発症しやすい疾患のリスト（実施形態１で説明したリスト）が含まれていてもよい。
【０１２２】
なお、画面表示処理部３２２Ａは、操作受付部３５０がボタン５１３をクリックする操作を受け付けた場合に、図９の疾患発症リスク画面における上記リストの部分を消去してもよい。
【０１２３】
（実施形態２の付記事項２）
実施形態２において、健康情報提供サーバ１０Ａが健康情報管理サーバ２０から取得する統計情報は、各疾患の患者数を示す統計情報（図４の（ｃ）の統計情報）であった。
【０１２４】
しかしながら、本実施形態はこのような構成に限定されない。健康情報提供サーバ１０Ａが健康情報管理サーバ２０から取得する統計情報は、図４の（ａ）の統計情報であってもよいし、図４の（ｂ）の統計情報であってもよいし、その他の統計情報（例えば、各疾患の治療費の概算を示す情報）であってもよい。
【０１２５】
なお、疾患発症リスク画面のデータを生成するために、健康情報提供サーバ１０Ａは、健康情報管理サーバ２０から、健康情報管理サーバ２０が保持している全ての種類の統計情報（例えば、図４の３つの統計情報）を取得してもよい。この場合、該疾患発症リスク画面は、縦軸に示す統計情報を、全ての種類の統計情報の中から対象ユーザが選択した統計情報に切り替えることができるように構成されていてもよい。例えば、該疾患発症リスク画面は、対象ユーザにそのような選択操作を行わせるためのＵＩ部品（例えば、ボタン）を図５の疾患発症リスク画面に設けたような画面であってもよい。
【０１２６】
（ユーザ端末３０Ａの利点）
以上の説明から以下のことが言える。
【０１２７】
即ち、ユーザ端末３０Ａ（情報機器）は画面表示処理部３２２Ａ（表示処理手段）を備えている。
【０１２８】
画面表示処理部３２２Ａは、ユーザ端末３０Ａのユーザの遺伝子検査結果を参照することによって算出された発症リスクの度合いであって、該ユーザに関する各疾患の発症リスクの度合いを示す軸を横軸（第１軸）とし、該各疾患の患者数（該各疾患に関する統計学的な値）を示す軸を縦軸（第２軸）として張られるフィールドに複数のオブジェクトが配置された疾患発症リスク画面を表示部３４０に表示する。
【０１２９】
疾患発症リスク画面は、上記各疾患について、該ユーザに関する該疾患の発症リスクの度合いと該疾患に関する統計学的な値とを示す位置に該疾患に対応するオブジェクトが配置された画面（即ち、図５に示すような画面）である。
【０１３０】
従って、ユーザ端末３０Ａは、多種多様な疾患についての自身の発病リスクの度合いをユーザ端末３０Ａのユーザに直観的に把握させることが可能である、という効果を奏する。
〔実施形態３〕
以下、更に図１３、図１４を参照して、本発明の更に別の一実施形態に係る健康管理システムについて説明する。図１３は、上記健康管理システムの主要な装置の構成を示すブロック図である。図１４は、疾患発症リスク画面を表示させる操作を本実施形態に係るユーザ端末が受け付けた場合における上記健康管理システムの動作を示すシーケンス図である。なお、説明の便宜上、実施形態２にて説明した部材と全く同じ機能又は略同じ機能を有する部材については、同じ符号を付記し、基本的にその説明を省略する。
【０１３１】
（本実施形態に係る健康管理システムの概要）
本実施形態に係る健康管理システムも、実施形態２に係る健康管理システムと同様に、ユーザが遺伝子検査サービスを受けることができるように構成されたシステムであり、ユーザが自身の端末を用いて様々な疾患についての情報を把握することができるように構成されている。
【０１３２】
一方、本実施形態に係る健康管理システムは、以下の点で、実施形態２に係る健康管理システムと異なっている。
【０１３３】
本実施形態に係るユーザ端末３０Ｂは、疾患発症リスク画面を生成する上で必要な画像データおよびテキストデータに加え、疾患発症リスク画面を生成する上で必要な図４の（ｃ）の統計情報を予め保持している。
【０１３４】
また、本実施形態に係る健康情報提供サーバ１０Ｂは、ユーザ端末３０Ｂが疾患発症リスク画面を生成する上で必要な情報として、対象ユーザの各疾患の発症リスクの度合いを示す情報のみをユーザ端末３０Ｂに送信するようになっている。
【０１３５】
（本実施形態に係る健康管理システムの構成）
本実施形態に係る健康管理システム（以下、本実施形態においては単に「健康管理システム」と呼称する）の構成について図２、図１１及び図１３を参照しながら説明する。
【０１３６】
図２に示すように、健康管理システムは、健康情報提供サーバ１０Ｂ、健康情報管理サーバ２０、各ユーザのユーザ端末３０Ｂ、及び、検査装置４０を含んでいる。
【０１３７】
（健康情報提供サーバ１０Ｂ）
健康情報提供サーバ１０Ｂは、遺伝子検査サービスの運営に用いられるサーバである。健康情報提供サーバ１０Ｂは、疾患発症リスク画面を表示させる操作を受け付けたユーザ端末３０Ｂからリクエストを受け付けると、対象ユーザの各疾患の発症リスクの度合いを示す情報をユーザ端末３０Ｂに送信する。
【０１３８】
図１３に示すように、健康情報提供サーバ１０Ｂは、記憶部１１０、制御部１２０、及び、通信部１３０を備えている。
【０１３９】
制御部１２０は、健康情報提供サーバ１０Ｂ全体を統括的に制御するＣＰＵである。
【０１４０】
制御部１２０は、特定のプログラムを読み出すことによりユーザ判定部１２１及び発症リスク情報送信処理部１２３Ｂとして機能する。
【０１４１】
発症リスク情報送信処理部１２３Ｂは、上記リクエストを行ったユーザ端末３０Ｂに送信すべきデータを生成する。
【０１４２】
具体的には、発症リスク情報送信処理部１２３Ｂは、図３の発症リスク情報テーブルを参照し、上記リクエストを行ったユーザ端末３０Ｂに向けて、対象ユーザの各疾患の発症リスクの度合いを示す情報を送信する。
【０１４３】
（ユーザ端末３０Ｂ）
ユーザ端末３０Ｂは、ユーザが自身に関する各疾患の発症リスクの度合いを把握するために用いる端末である。
【０１４４】
図１３に示すように、ユーザ端末３０Ｂは、記憶部３１０、制御部３２０、通信部３３０、及び、タッチパネル式表示部３４５を備えている。
【０１４５】
記憶部３１０は、各種プログラム（例えば、遺伝子検査サービスの運営者により提供されたプログラム）がインストールされている記録媒体である。記憶部３１０には、疾患発症リスク画面を生成する上で必要な画像データおよびテキストデータが格納されている。また、図１１の（ｂ）に示すように、記憶部３１０には、ユーザＩＤ、及び、各疾患の詳細を示す疾患詳細情報に加えて、図４の（ａ）〜（ｃ）の統計情報も格納されている。
【０１４６】
制御部３２０は、ユーザ端末３０Ｂ全体を統括的に制御するＣＰＵである。
【０１４７】
制御部３２０は、遺伝子検査サービスの運営者により提供されたプログラムを実行することにより、データ取得処理部３２１Ｂ及び画面表示処理部３２２Ｂとして機能する。
【０１４８】
データ取得処理部３２１Ｂは、疾患発症リスク画面を表示させる操作をタッチパネル式表示部３４５が受け付けると、対象ユーザの各疾患の発症リスクの度合いを示す情報の提供を健康情報提供サーバ１０Ｂにリクエストする。
【０１４９】
画面表示処理部３２２Ｂは、疾患発症リスク画面を表示させる操作をタッチパネル式表示部３４５が受け付けると、記憶部３１０から、疾患発症リスク画面を生成する上で必要な、画像データ、テキストデータおよび図４の（ｃ）の統計情報を読み出し、記憶部３１０から読み出したデータとデータ取得処理部３２１Ｂが取得した情報とを用いて、疾患発症リスク画面を生成する。画面表示処理部３２２Ｂは、生成した疾患発症リスク画面をタッチパネル式表示部３４５に表示する。
【０１５０】
タッチパネル式表示部３４５は、様々な画面（例えば、疾患発症リスク画面）が表示されるディスプレイである。タッチパネル式表示部３４５は、入力デバイスとしても機能する。
【０１５１】
（健康管理システムの動作）
次に、疾患発症リスク画面を表示させる操作をユーザ端末３０Ｂが受け付けた場合における健康管理システムの動作について図１４を参照して説明する。
【０１５２】
（ステップＳ３０１）
ユーザ端末３０Ｂのデータ取得処理部３２１Ｂは、通信部３３０を介して、対象ユーザの各疾患の発症リスクの度合いを示す情報の提供を要求するためのリクエストデータを健康情報提供サーバ１０Ｂに送信する。このリクエストデータにはユーザＩＤが含まれている。
【０１５３】
（ステップＳ３０２〜Ｓ３０４）
疾患発症リスク画面を表示させる操作をユーザ端末３０Ｂが受け付けると、健康管理システムは、ステップＳ３０２〜Ｓ３０４の処理を行う。なお、ステップＳ３０２〜ステップＳ３０４は、それぞれ、実施形態１（又は実施形態２）で説明したステップＳ２０２、Ｓ１０３、Ｓ１０４と同じ工程であるので、ステップＳ３０２〜ステップＳ３０４の処理の内容の説明については省略する。
【０１５４】
（ステップＳ３０５）
ステップＳ３０４の後、発症リスク情報送信処理部１２３Ｂは、対象ユーザの各疾患の発症リスクの度合いを示す情報を対象ユーザのユーザ端末３０Ｂに送信する。
【０１５５】
（ステップＳ３０６）
ユーザ端末３０Ｂのデータ取得処理部３２１Ｂが上記情報を受信すると、画面表示処理部３２２Ｂは、記憶部３１０にアクセスし、疾患発症リスク画面を生成する上で必要な画像データ及びテキストデータと共に、疾患発症リスク画面を生成する上で必要な図４の（ｃ）の統計情報を読み出す。
【０１５６】
（ステップＳ３０７：表示処理ステップ）
ステップＳ３０６の後、画面表示処理部３２２Ｂは、疾患発症リスク画面をタッチパネル式表示部３４５に表示する。画面表示処理部３２２Ｂは、具体的には、以下の処理を行う。
【０１５７】
即ち、画面表示処理部３２２Ｂは、ステップＳ３０６で読み出した画像データが表す画像を表示するとともに、ステップＳ３０６で読み出したテキストデータが表す文章を表示し、更に、対象ユーザの各疾患の発症リスクの度合いを示す軸を横軸とし、各疾患の患者数を示す軸を縦軸として張られるフィールドを表示する。これに加えて、画面表示処理部３２２Ｂは、ステップＳ３０５にて送信された情報とステップＳ３０６にて読み出した統計情報とを参照し、各疾患について、該疾患に対応するオブジェクトを、対象ユーザに関する該疾患の発症リスクの度合いと該疾患の患者数とを示す位置に表示する。
【０１５８】
（疾患発症リスク画面内の各オブジェクトについて）
疾患発症リスク画面内の各オブジェクトは、実施形態２で説明した各オブジェクトと同様の役割を担っている。
【０１５９】
即ち、オブジェクト（具体的には、該オブジェクト内の黒丸５１１）の表示領域にユーザが指を接触させると、画面表示処理部３２２Ｂは、図７に示すように、実施形態１で説明した吹き出しが描かれるように疾患発症リスク画面を更新する。
【０１６０】
また、ユーザがオブジェクト（具体的には、該オブジェクト内の疾患名５１２）の表示領域をタップする（即ち、ユーザが、該表示領域に指を接触させた後、指を該表示領域からリリースさせるという、特定の操作を行う）と、画面表示処理部３２２Ｂは、図８に示すような、対象の疾患の詳細を示す詳細情報を含む画面を表示する。
【０１６１】
以上の説明からわかるように、本実施形態における各オブジェクトもＵＩオブジェクトであるが、各オブジェクトは、ＵＩオブジェクトでなくてもよい。即ち、各オブジェクトは、該オブジェクトがどの疾患に対応するオブジェクトであるのかをユーザ端末３０Ｂのユーザが把握できるように構成されていれば、どのようなオブジェクトであってもよい。
【０１６２】
（実施形態３の付記事項１）
ユーザ端末３０Ｂは、ステップＳ３０７において、図５のような疾患発症リスク画面ではなく、図９のような疾患発症リスク画面を表示してもよい。
【０１６３】
即ち、実施形態１、２と同様に、疾患発症リスク画面には、上述の複数のオブジェクトが配置されたフィールドに加え、対象ユーザが発症しやすい疾患のリスト（実施形態１で説明したリスト）が含まれていてもよい。
【０１６４】
なお、画面表示処理部３２２Ｂは、ボタン５１３の表示領域をタップする操作をタッチパネル式表示部３４５が受け付けた場合に、図９の疾患発症リスク画面における上記リストの部分を消去してもよい。
【０１６５】
（実施形態３の付記事項２）
実施形態３において、疾患発症リスク画面を生成するためにユーザ端末３０Ｂが記憶部３１０から読み出す統計情報は、各疾患の患者数を示す統計情報（図４の（ｃ）の統計情報）であった。
【０１６６】
しかしながら、本実施形態はこのような構成に限定されない。疾患発症リスク画面を生成するためにユーザ端末３０Ｂが記憶部３１０から読み出す統計情報は、図４の（ａ）の統計情報であってもよいし、図４の（ｂ）の統計情報であってもよいし、その他の統計情報（例えば、各疾患の治療費の概算を示す情報）であってもよい。
【０１６７】
なお、疾患発症リスク画面を生成するために、ユーザ端末３０Ｂは、記憶部３１０から、記憶部３１０が保持している全ての種類の統計情報（例えば、図４の３つの統計情報）を取得してもよい。この場合、ユーザ端末３０Ｂが生成する疾患発症リスク画面は、縦軸に示す統計情報を、全ての種類の統計情報の中から対象ユーザが選択した統計情報に切り替えることができるように構成されていてもよい。例えば、ユーザ端末３０Ｂが生成する疾患発症リスク画面は、対象ユーザにそのような選択操作を行わせるためのＵＩ部品（例えば、ボタン）を図５の疾患発症リスク画面に設けたような画面であってもよい。
【０１６８】
（その他の付記事項１）
実施形態１では、画面データ生成部１２２は、対象ユーザの各疾患の発症リスクの度合いを示す軸を横軸（第１軸）とし、各疾患の患者数を示す軸を縦軸（第２軸）として張られるフィールドに複数のオブジェクトが配置された疾患発症リスク画面のＨＴＭＬデータを生成するようになっている。しかしながら、本発明は、このような構成に限定されない。即ち、画面データ生成部１２２は、対象ユーザの各疾患の発症リスクの度合いを示す軸を縦軸（第１軸）とし、各疾患の患者数を示す軸を横軸（第２軸）として張られるフィールドに複数のオブジェクトが配置された疾患発症リスク画面のＨＴＭＬデータを生成してもよい。
【０１６９】
同様に、実施形態２、３では、画面表示処理部３２２Ａ（３２２Ｂ）は、対象ユーザの各疾患の発症リスクの度合いを示す軸を横軸（第１軸）とし、各疾患の患者数を示す軸を縦軸（第２軸）として張られるフィールドに複数のオブジェクトが配置された疾患発症リスク画面を表示するようになっている。しかしながら、本発明は、このような構成に限定されない。即ち、画面表示処理部３２２Ａ（３２２Ｂ）は、対象ユーザの各疾患の発症リスクの度合いを示す軸を縦軸（第１軸）とし、各疾患の患者数を示す軸を横軸（第２軸）として張られるフィールドに複数のオブジェクトが配置された疾患発症リスク画面を表示するようになっていてもよい。
【０１７０】
（その他の付記事項２）
図５からわかるように、実施形態１〜３の疾患発症リスク画面では、縦軸および横軸の目盛が共に線形目盛になっていた。しかしながら、疾患発症リスク画面は、図５に示すような画面に限定されない。即ち、疾患発症リスク画面は、縦軸および横軸の一方又は両方の目盛が対数目盛であるような画面（即ち、片対数グラフまたは両対数グラフの画面）であってもよい。
【０１７１】
（その他の付記事項３）
図３からわかるように、発症リスク情報テーブルは、ユーザ毎に様々な疾患について、対象ユーザが対象の疾患を発症するリスクの度合いを示す値を保持している。
【０１７２】
疾患発症リスク画面は、該様々な疾患の全てについての情報を含むような画面であってもよいし、該様々な疾患のうちの一部の疾患の情報を含むような画面であってもよい。
【０１７３】
後者の場合、健康情報提供サーバ１０は、該一部の疾患を、該様々な疾患の中から、対象ユーザによるアンケート（対象ユーザがタブ５０４を選択した場合に表示されるアンケート画面でのアンケート）の結果に基づいて選択してもよい。
【０１７４】
あるいは、健康情報提供サーバ１０は、対象ユーザに該様々な疾患の中から該一部の疾患を選択させるための画面（選択画面）のデータをユーザ端末３０に送信するようになっていてもよい。この場合、健康情報提供サーバ１０は、対象ユーザがタブ５０１を選択すると、対象ユーザが選択画面を通じて選択した該一部の疾患の情報を含む疾患発症リスク画面のデータを対象ユーザのユーザ端末３０に送信することになる。
【０１７５】
（その他の付記事項４）
実施形態１〜３に係るユーザ端末はディスプレイを備えていなくてもよい。この場合、各ユーザ端末の画面表示処理部は、該ユーザ端末の外部のディスプレイに各種画面を表示してもよい。
【０１７６】
〔ソフトウェアによる実現例〕
健康情報提供サーバおよびユーザ端末の制御ブロック（特に、画面データ生成部１２２、データ取得処理部３２１Ａ（３２１Ｂ）、および、画面表示処理部３２２Ａ（３２２Ｂ））は、集積回路（ＩＣチップ）等に形成された論理回路（ハードウェア）によって実現してもよいし、ＣＰＵ（Central Processing Unit）を用いてソフトウェアによって実現してもよい。
【０１７７】
後者の場合、健康情報提供サーバおよびユーザ端末は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１７８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１７９】
本発明は、遺伝子検査サービスを提供しようとする際に利用することができる。
【符号の説明】
【０１８０】
１０                    健康情報提供サーバ（データ生成装置）
１０Ａ、１０Ｂ          健康情報提供サーバ
１２０                    制御部
１２１                      ユーザ判定部
１２２                      画面データ生成部（データ生成手段）
２０                    健康情報管理サーバ
３０                    ユーザ端末
３０Ａ、３０Ｂ          ユーザ端末（情報機器）
３２０                    制御部
３２１Ａ                    データ取得処理部（取得手段）
３２１Ｂ                    データ取得処理部（取得手段、読出手段）
３２２Ａ、３２２Ｂ          画面表示処理部（表示処理手段）
【図１】
0006403472.tif 000002
【図２】
0006403472.tif 000003
【図３】
0006403472.tif 000004
【図４】
0006403472.tif 000005
【図５】
0006403472.tif 000006
【図６】
0006403472.tif 000007
【図７】
0006403472.tif 000008
【図８】
0006403472.tif 000009
【図９】
0006403472.tif 000010
【図１０】
0006403472.tif 000011
【図１１】
0006403472.tif 000012
【図１２】
0006403472.tif 000013
【図１３】
0006403472.tif 000014
【図１４】
0006403472.tif 000015